(57)【要約】  いくつかの実施形態は、心拍数を検出するためのデバイスを含むことができる。多数の実施形態では、デバイスは、ストラップに結合された少なくとも１つの容量式変位センサを備えることができる。多くの実施形態では、少なくとも１つの容量式変位センサは、２つの電極を備えることができる。いくつかの実施形態では、２つの電極は、外側送信電極及び内側受信電極であることができる。様々な実施形態では、少なくとも１つの容量式変位センサは、デバイスの着用者の皮膚と少なくとも１つの容量式変位センサとの間の距離変化に関連付けられた信号を生成することによって、パルスを検出することができる。関連する装置、方法、及びシステムの他の実施形態もまた提供される。【選択図】  図１０
2020531177.tif 000002
【特許請求の範囲】
【請求項１】
ストラップに結合された少なくとも１つの容量式変位センサを備える、心拍数を検出するためのデバイスであって、
前記少なくとも１つの容量式変位センサが、少なくとも２つの電極を備え、前記少なくとも１つの容量式変位センサが、前記デバイスの着用者の皮膚と前記少なくとも１つの容量式変位センサとの間の距離変化に関連付けられた信号を生成することによって、パルスを検出する、デバイス。
【請求項２】
前記少なくとも１つの容量式変位センサが、送信電極及び受信電極を備える、請求項１に記載のデバイス。
【請求項３】
前記送信電極及び前記受信電極が、同心配置又は線状配置にある、請求項２に記載のデバイス。
【請求項４】
前記ストラップが、ハーネス、ベルト、ベスト、及びカラーのうちの少なくとも１つを備える、請求項１に記載のデバイス。
【請求項５】
容量式変位センサのアレイを更に備え、
前記容量式変位センサのアレイが、前記少なくとも１つの容量式変位センサを備える、請求項１に記載のデバイス。
【請求項６】
前記容量式変位センサのアレイが、少なくとも２つの容量式変位センサを備える、請求項４に記載のデバイス。
【請求項７】
前記少なくとも２つの容量式変位センサが、前記ストラップの全長にわたって等距離の間隔に配置されている、請求項５に記載のデバイス。
【請求項８】
１つ以上の慣性センサを更に備え、
前記１つ以上の慣性センサが、前記デバイスの前記着用者の移動によって引き起こされる動きを感知する、請求項１に記載のデバイス。
【請求項９】
前記少なくとも１つの容量式変位センサが、前記着用者の頸部にて、前記着用者の頸動脈に近接して配置されている、請求項１に記載のデバイス。
【請求項１０】
心拍数を判定するためのシステムであって、
ｉ）ストラップに結合された少なくとも１つの容量式変位センサであって、前記少なくとも１つの容量式変位センサが、少なくとも２つの電極を備え、前記少なくとも１つの容量式変位センサが、前記システムの着用者の皮膚と前記少なくとも１つの容量式変位センサとの間の距離変化に関連付けられた信号を生成することによって、１つ以上のパルスを検出する、少なくとも１つの容量式変位センサと、
ｉｉ）前記少なくとも１つの容量式変位センサから１つ以上の信号を受信する信号プロセッサであって、前記１つ以上の信号が、前記１つ以上のパルスに関する情報を含み、前記信号プロセッサが、前記情報から前記１つ以上のパルスの１つ以上のピークパルスを検出し、前記情報から心拍波形を判定する、信号プロセッサと、
を備える、システム。
【請求項１１】
前記少なくとも１つの容量式変位センサが、送信電極及び受信電極を備える、請求項１０に記載のシステム。
【請求項１２】
前記送信電極及び前記受信電極が、同心配置又は線状配置にある、請求項１０に記載のシステム。
【請求項１３】
前記ストラップが、ハーネス、ベルト、ベスト、及びカラーのうちの少なくとも１つを備える、請求項１０に記載のシステム。
【請求項１４】
容量式変位センサのアレイを更に備え、
容量式変位センサの前記アレイが、前記少なくとも１つの容量式変位センサを備える、請求項１０に記載のシステム。
【請求項１５】
容量式変位センサの前記アレイが、少なくとも２つの容量式変位センサを備える、請求項１４に記載のシステム。
【請求項１６】
前記少なくとも２つの容量式変位センサが、前記ストラップの全長にわたって等距離の間隔に配置されている、請求項１５に記載のシステム。
【請求項１７】
１つ以上の慣性センサを更に備え、
前記１つ以上の慣性センサが、デバイスの前記着用者の移動によって引き起こされる動きを感知する、請求項１０に記載のシステム。
【請求項１８】
前記少なくとも１つの容量式変位センサが、前記着用者の頸部にて、前記着用者の頸動脈に近接して配置されている、請求項１０に記載のシステム。
【請求項１９】
心拍数を判定する方法であって、
少なくとも１つの容量式変位センサを使用して、前記少なくとも１つの容量式変位センサと前記少なくとも１つの容量式変位センサの着用者の皮膚との間の距離の変化に関連する信号を生成することによって、１つ以上のパルスを検出するステップであって、前記少なくとも１つの容量式変位センサが、
外側送信電極と、
内側受信電極と、
である２つの電極を備える、ステップと、
前記少なくとも１つの容量式変位センサからの１つ以上の信号を心拍波形に変換するステップであって、前記１つ以上の信号が、前記１つ以上のパルスに関する情報を含む、ステップと、
を含む、方法。
【請求項２０】
前記外側送信電極及び前記内側受信電極が、同心である、請求項１９に記載の方法。
【請求項２１】
前記少なくとも１つの容量式変位センサが、ストラップに取り付けられ、前記ストラップが、ハーネス、ベルト、ベスト、及びカラーのうちの少なくとも１つを備える、請求項１９に記載の方法。
【請求項２２】
前記１つ以上のパルスを検出するステップが、容量式変位センサのアレイを使用する工程を更に含み、容量式変位センサの前記アレイが、前記少なくとも１つの容量式変位センサを備える、請求項１９に記載の方法。
【請求項２３】
容量式変位センサの前記アレイが、少なくとも２つの容量式変位センサを備える、請求項２２に記載の方法。
【請求項２４】
前記少なくとも２つの容量式変位センサが、ストラップの全長にわたって等距離の間隔に配置されている、請求項２３に記載の方法。
【請求項２５】
１つ以上の慣性センサを使用することによって、前記少なくとも１つの容量式変位センサの前記着用者の移動によって引き起こされる動きを検出するステップと、
前記少なくとも１つの容量式変位センサの前記着用者の前記移動によって引き起こされる前記動きに関連するデータを除去することによって、前記心拍波形をフィルタリングするステップと、
を更に含む、請求項１９に記載の方法。
【請求項２６】
前記少なくとも１つの容量式変位センサが、前記着用者の頸部にて、前記着用者の頸動脈に近接して配置されている、請求項１９に記載の方法。
【発明の詳細な説明】
【関連出願の相互参照】
【０００１】
[0001]本出願は、２０１７年９月１日に出願された米国特許仮出願第６２／５５３２０２号の優先権を主張するものであり、その開示は、参照により本明細書に組み込まれる。
【技術分野】
【０００２】
[0002]本開示は、概して、心拍数、心拍変動、心拍間隔、呼吸速度、及び呼吸間隔を検出するためのデバイスに関し、より具体的には、少なくとも１つの容量式変位センサを備えた心拍デバイスに関する。
【背景技術】
【０００３】
[0003]ヒトの健康及びフィットネス監視技術で見られる傾向と同様に、既存及び新興の技術を活用して、動物の現在の健康及び予測的健康におけるカスタム化された洞察にその後変換することができる個々の動物の生体及び行動のデータを取得する製品が、コンパニオンアニマルカテゴリ内に急速に出現してきている。恐怖又は幸福のような感情は、心臓がどれくらい速く鼓動するか（心拍数又はＨＲ）及び心拍のリズム（心拍間隔又は心拍変動若しくはＨＲＶ）に非随意的に影響を及ぼす。ＨＲ及びＨＲＶの変化を検出することは、ペットの情動状態の変化に関する情報を提供するのに役立つ。関与するペットの飼い主は、一緒にいることができない場合に、そのペットの安寧について知ることを望む。ペットの飼い主は、仕事中又は旅行中に、そのペットの情動状態に関する遠隔情報を有することを望むことがある。ペットの飼い主はまた、ペットがトリマーにいる、ペットホテルにいる、又は犬の散歩代行者とともにいる間に、ペットの安寧にアクセスすることもできる。加えて、ＨＲ及び呼吸の変化は、正常な心機能及び呼吸の変化を検出するのに役立つことができ、これらの変化は、ペットを獣医につれていく必要性をペットの飼い主に警告することができる。人又は動物の心拍数及び心拍変動のデータを取得する能力は、個体にカスタム化された現在の気分及び予測的気分並びに健康の洞察の両方を識別するための豊富なデータ源を提供することができる。安静時のコンパニオンアニマルに対して精度を有する心拍数及び心拍変動信号の取得を可能にする現在の技術が知られているが、動物による動き又は移動は、ノイズアーチファクトをこれらの信号に導入し、これにより、データで利用可能な精度及び信頼度が大幅に低減する。したがって、他の既存の技術の能力を越えてデータの信頼度及び精度を著しく増加させることができる、心拍数及び心拍信号の取得に対する手法が必要とされている。
【発明の概要】
【０００４】
[0004]本開示は、概して、心拍数、心拍変動、心拍間隔、呼吸速度、及び呼吸間隔を検出するためのデバイスに関する。本開示は、より具体的には、少なくとも１つの容量式変位センサを備えた心拍デバイスに関する。
【０００５】
[0005]一実施形態は、心拍数を検出するためのデバイスを含み、デバイスは、ストラップに結合された少なくとも１つの容量式変位センサを備え、少なくとも１つの容量式変位センサは、少なくとも２つの電極を備え、少なくとも１つの容量式変位センサは、デバイスの着用者の皮膚と少なくとも１つの容量式変位センサとの間の距離変化に関連付けられた信号を生成することによって、パルスを検出する。
【０００６】
[0006]別の実施形態は、心拍数を判定するためのシステムを含み、システムは、ストラップに結合された少なくとも１つの容量式変位センサであって、少なくとも１つの容量式変位センサが、少なくとも２つの電極を備え、少なくとも１つの容量式変位センサが、システムの着用者の皮膚と少なくとも１つの容量式変位センサとの間の距離変化に関連付けられた信号を生成することによって、１つ以上のパルスを検出する、少なくとも１つの容量式変位センサと、少なくとも１つの容量式変位センサから１つ以上の信号を受信する信号プロセッサであって、１つ以上の信号が、１つ以上のパルスに関する情報を含み、信号プロセッサが、情報から１つ以上のパルスの１つ以上のピークパルスを検出し、情報から心拍波形を判定する、信号プロセッサと、を備える。
【０００７】
[0007]１つの他の実施形態は、心拍数を判定する方法であって、少なくとも１つの容量式変位センサを使用して、少なくとも１つの容量式変位センサと少なくとも１つの容量式変位センサの着用者の皮膚との間の距離の変化に関連する信号を生成することによって、１つ以上のパルスを検出するステップであって、少なくとも１つの容量式変位センサが、外側送信電極と、内側受信電極と、である２つの電極を備える、ステップと、少なくとも１つの容量式変位センサからの１つ以上の信号を心拍波形に変換するステップであって、１つ以上の信号が、１つ以上のパルスに関する情報を含む、ステップと、を含む、方法を含む。
【図面の簡単な説明】
【０００８】
【図１】中央コンピュータシステムの少なくとも一部を実装するのに好適なコンピュータシステムの正面図を示す。
【図２】図１のコンピュータシステムのシャーシ内の回路基板上に含まれる例示的な要素の代表的なブロック図を示す。
【図３】一実施形態に係る、システムの代表的なブロック図を示す。
【図４】一実施形態に係る、図３のシステムの一部分の代表的なブロック図を示す。
【図５】一実施形態に係る、図３のシステムの別の部分の代表的なブロック図を示す。
【図６】一実施形態に係る、方法のフローチャートを示す。
【図７】一実施形態に係る、方法のフローチャートを示す。
【図８】一実施形態に係る、心拍検出デバイスを示す。
【図９】一実施形態に関連付けられたデータのグラフを示す。
【図１０】別の実施形態に係る、心拍検出デバイスを示す。
【発明を実施するための形態】
【０００９】
[0018]説明を簡単にして明確にするために、図面の図は、構成の一般的な方法を示し、周知の特徴及び技術の説明並びに詳細は、本開示内容を不必要に不明瞭にするのを避けるために省略されることがある。加えて、図面の図中の要素は、必ずしも一律の縮尺に従って描かれていない。例えば、図中の一部の要素の寸法は、本開示の実施形態の理解をしやすくするのに役立つように、他の要素に対して強調されていることがある。異なる図中の同じ参照数字は、同じ要素を示す。
【００１０】
[0019]発明を実施するための形態及び特許請求の範囲において、用語「第１の」、「第２の」、「第３の」、「第４の」などがある場合、類似の要素を区別するために使用され、必ずしも特定の連続的又は時系列の順序を説明するものではない。そのように使用される用語は、本明細書で説明する実施形態が、例えば、本明細書で例示する又は別の方法で説明するもの以外の順序で動作可能であるように、適切な状況下で交換可能であると理解されるべきである。更に、用語「含む（ｉｎｃｌｕｄｅ）」、及び「有する（ｈａｖｅ）」、並びにそれらの任意の変形は、要素の一覧を含むプロセス、方法、システム、物品、デバイス、又は装置が、必ずしもそれらの要素に限定されるのでなく、そのようなプロセス、方法、システム、物品、デバイス、若しくは装置に明示的に記載されない又は固有の他の要素を含み得るような、非排他的な包含を網羅することを意図する。
【００１１】
[0020]発明を実施するための形態及び特許請求の範囲において、用語「左（ｌｅｆｔ）」、「右（ｒｉｇｈｔ）」、「前（ｆｒｏｎｔ）」、「後（ｂａｃｋ）」、「上（ｔｏｐ）」、「下（ｂｏｔｔｏｍ）」、「上方（ｏｖｅｒ）」、「下方（ｕｎｄｅｒ）」などがある場合、説明の目的のために使用され、必ずしも不変の相対的位置を説明するものではない。そのように使用される用語は、本明細書で説明する装置、方法、及び／又は製品の実施形態が、例えば、本明細書で例示する又は別の方法で説明するもの以外の向きで動作可能であるように、適切な状況下で交換可能であると理解されるべきである。
【００１２】
[0021]用語「結合する（ｃｏｕｐｌｅ）」、「結合した（ｃｏｕｐｌｅｄ）」、「結合する（ｃｏｕｐｌｅｓ）」、「結合する（ｃｏｕｐｌｉｎｇ）」などは、広く理解されるべきであり、２つ以上の要素を、機械的に、及び／又は別の方法で、接続することを指す。２つ以上の電気的要素は、電気的に一緒に結合することができるが、機械的に又は別の方法では一緒に結合しないことがある。結合することは、例えば、永久若しくは半永久、又はある瞬間の間のみなど、任意の時間の間とすることができる。「電気的結合」などは、広く理解されるべきであり、全ての種類の電気的結合を含む。単語「結合した（ｃｏｕｐｌｅｄ）」などに近い、単語「着脱可能に（ｒｅｍｏｖａｂｌｙ）」、「着脱可能な（ｒｅｍｏｖａｂｌｅ）」などの欠如は、問題にしている結合などが着脱可能である又は着脱可能でないことを意味しない。
【００１３】
[0022]本明細書で定義されるとき、「約（ａｐｐｒｏｘｉｍａｔｅｌｙ）」は、いくつかの実施形態では、規定の値の±１０パーセント以内を意味し得る。他の実施形態では、「約」は、規定の値の±５パーセント以内を意味し得る。更なる実施形態では、「約」は、規定の値の±３パーセント以内を意味し得る。更に他の実施形態では、「約」は、規定の値の±１パーセント以内を意味し得る。
【００１４】
[0023]いくつかの実施形態は、心拍数を検出するためのデバイスを含むことができる。多数の実施形態では、デバイスは、ストラップに結合された少なくとも１つの容量式変位センサを備えることができる。多くの実施形態では、少なくとも１つの容量式変位センサは、２つの電極を備えることができる。いくつかの実施形態では、２つの電極は、外側送信電極及び内側受信電極であることができる。様々な実施形態では、少なくとも１つの容量式変位センサは、デバイスの着用者の皮膚と少なくとも１つの容量式変位センサとの間の距離変化に関連付けられた信号を生成することによって、パルスを検出することができる。
【００１５】
[0024]いくつかの実施形態は、システムを含む。多くの実施形態では、システムは、ストラップに結合された少なくとも１つの容量式変位センサを備えることができる。いくつかの実施形態では、少なくとも１つの容量式変位センサは、２つの電極を備えることができる。いくつかの実施形態では、２つの電極は、外側送信電極及び内側受信電極である。多くの実施形態では、少なくとも１つの容量式変位センサは、デバイスの着用者の皮膚と少なくとも１つの容量式変位センサとの間の距離変化に関連付けられた信号を生成することによって、パルスを検出することができる。多くの実施形態では、システムは、少なくとも１つの容量式変位センサから１つ以上の信号を受信する信号プロセッサを更に備えることができ、１つ以上の信号は、１つ以上のパルスに関する情報を含み、信号プロセッサは、情報から１つ以上のパルスの１つ以上のピークパルスを検出し、情報から心拍波形を判定する。
【００１６】
[0025]いくつかの実施形態は、方法を含む。いくつかの実施形態では、方法は、少なくとも１つの容量式変位センサを使用して、少なくとも１つの容量式変位センサと少なくとも１つの容量式変位センサの着用者の皮膚との間の距離の変化に関連する信号を生成することによって、１つ以上のパルスを検出するステップを含むことができる。多くの実施形態では、少なくとも１つの容量式変位センサは、２つの電極を備えることができる。いくつかの実施形態では、２つの電極は、外側送信電極及び内側受信電極であることができる。いくつかの実施形態では、方法は、少なくとも１つの容量式変位センサからの１つ以上の信号を心拍波形に変換するステップを更に含むことができ、１つ以上の信号は、１つ以上のパルスに関する情報を含む。
【００１７】
[0026]図面を参照すると、図１は、コンピュータシステム１００の例示的な実施形態を示し、その全て又は一部分は、（ｉ）技術、方法、及びシステムの１つ以上の実施形態の一部若しくは全てを実装すること、並びに／又は（ｉｉ）本明細書に記載されるメモリ記憶モジュールの１つ以上の実施形態の一部若しくは全てを実装すること及び／若しくは動作させることに好適であってもよい。一例として、シャーシ１０２（及びその内部構成要素）の異なる又は別個の１つは、本明細書に記載される技術、方法、及び／又はシステムの１つ以上の実施形態の一部又は全てを実装するのに好適であってもよい。更に、コンピュータシステム１００の１つ以上の要素（例えば、モニタ１０６、キーボード１０４、及び／又はマウス１１０など）もまた、本明細書に記載される技術、方法、及び／又はシステムの１つ以上の実施形態の一部又は全てを実装するのに適切であってもよい。コンピュータ１００は、１つ以上の回路基板（図示せず）、ユニバーサルシリアルバス（Ｕｎｉｖｅｒｓａｌ  ＳｅｒｉａｌＢｕｓ、ＵＳＢ）ポート１１２、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）及び／又はデジタルビデオディスク（Ｄｉｇｉｔａｌ  Ｖｉｄｅｏ  Ｄｉｓｃ、ＤＶＤ）ドライブ１１６、並びにハードドライブ１１４を収容するシャーシ１０２を備えることができる。シャーシ１０２内部の回路基板上に含まれる要素の代表的なブロック図を、図２に示す。図２の中央処理装置（Ｃｅｎｔｒａｌ  ｐｒｏｃｅｓｓｉｎｇ  ｕｎｉｔ、ＣＰＵ）２１０は、図２のシステムバス２１４に結合される。様々な実施形態では、ＣＰＵ２１０のアーキテクチャは、様々な市販のアーキテクチャ系列の任意のものに準拠することができる。
【００１８】
[0027]引き続き図２で、システムバス２１４はまた、メモリ記憶ユニット２０８に結合され、メモリ記憶ユニット２０８は、（ｉ）例えば、読み出し専用メモリ（ｒｅａｄ  ｏｎｌｙ  ｍｅｍｏｒｙ、ＲＯＭ）などの揮発性（例えば、一時的）メモリ、及び／又は（ｉｉ）例えば、ランダムアクセスメモリ（ｒａｎｄｏｍ  ａｃｃｅｓｓ  ｍｅｍｏｒｙ、ＲＡＭ）などの不揮発性（例えば、非一時的）メモリを備えることができる。不揮発性メモリは、取り外し可能及び／又は取り外し不可能な不揮発性メモリとすることができる。一方、ＲＡＭは、ダイナミックＲＡＭ（ｄｙｎａｍｉｃ  ＲＡＭ、ＤＲＡＭ）、スタティックＲＡＭ（ｓｔａｔｉｃ  ＲＡＭ、ＳＲＡＭ）などを含むことができる。更に、ＲＯＭは、マスクプログラムドＲＯＭ、プログラマブルＲＯＭ（ｐｒｏｇｒａｍｍａｂｌｅ  ＲＯＭ、ＰＲＯＭ）、ワンタイムプログラマブルＲＯＭ（ｏｎｅ−ｔｉｍｅ  ｐｒｏｇｒａｍｍａｂｌｅ  ＲＯＭ、ＯＴＰ）、消去可能プログラマブル読み出し専用メモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、電気的消去可能プログラマブルＲＯＭ（ｅｌｅｃｔｒｉｃａｌｌｙ  ｅｒａｓａｂｌｅ  ｐｒｏｇｒａｍｍａｂｌｅ  ＲＯＭ、ＥＥＰＲＯＭ）（例えば、電気的再書き込みＲＯＭ（ｅｌｅｃｔｒｉｃａｌｌｙ  ａｌｔｅｒａｂｌｅ  ＲＯＭ、ＥＡＲＯＭ）及び／又はフラッシュメモリ）などを含むことができる。本明細書に開示される様々な実施形態のメモリ記憶モジュール（単数又は複数）は、メモリ記憶ユニット２０８、例えば、ユニバーサルシリアルバス（ＵＳＢ）ポート１１２（図１〜図２）に結合されたＵＳＢを備えた電子メモリ記憶ドライブなどの外部メモリ記憶ドライブ（図示せず）、ハードドライブ１１４（図１〜図２）、ＣＤ−ＲＯＭ及び／若しくはＤＶＤドライブ１１６（図１〜図２）とともに使用するためのＣＤ−ＲＯＭ並びに／又はＤＶＤ、フロッピーディスクドライブ（図示せず）とともに使用するためのフロッピーディスク、光学ディスク（図示せず）、光磁気ディスク（現在示されている）、磁気テープ（図示せず）などを備えることができる。更に、不揮発性又は非一時的メモリ記憶モジュール（単数又は複数）は、不揮発性（例えば、非一時的）メモリであるメモリ記憶モジュール（単数又は複数）の部分を指す。
【００１９】
[0028]様々な実施例では、本明細書に開示される様々な実施形態のメモリ記憶モジュール（単数又は複数）の部分（例えば、不揮発性メモリ記憶モジュール（単数又は複数）の部分）は、システムリセット後にコンピュータシステム１００（図１）を機能状態に復元するのに好適なブートコードシーケンスで符号化することができる。加えて、本明細書に開示される様々な実施形態のメモリ記憶モジュール（単数又は複数）の部分（例えば、不揮発性メモリ記憶モジュール（単数又は複数）の部分）は、コンピュータシステム１００（図１）で動作可能な基本入出力システム（Ｂａｓｉｃ  Ｉｎｐｕｔ−Ｏｕｔｐｕｔ  Ｓｙｓｔｅｍ、ＢＩＯＳ）などのマイクロコードを含むことができる。同じ又は異なる実施例では、本明細書に開示される様々な実施形態のメモリ記憶モジュール（単数又は複数）の部分（例えば、不揮発性メモリ記憶モジュール（単数又は複数）の部分）は、コンピュータ及び／又はコンピュータネットワークのハードウェア並びにソフトウェアリソースを管理するソフトウェアプログラムとすることができる、オペレーティングシステムを含むことができる。ＢＩＯＳは、コンピュータシステム１００（図１）の構成要素を初期化及び試験し、オペレーティングシステムをロードすることができる。一方、オペレーティングシステムは、例えば、メモリの制御及び割り当て、命令の処理の優先順位付け、入出力デバイスの制御、ネットワーキングの促進、及びファイル管理などの基本タスクを実行することができる。例示的なオペレーティングシステムとしては、以下のうちの１つを挙げることができる：（ｉ）Ｍｉｃｒｏｓｏｆｔ  Ｃｏｒｐ．（Ｒｅｄｍｏｎｄ，Ｗａｓｈｉｎｇｔｏｎ，Ｕｎｉｔｅｄ  Ｓｔａｔｅｓ  ｏｆ  Ａｍｅｒｉｃａ）によるＭｉｃｒｏｓｏｆｔ（登録商標）Ｗｉｎｄｏｗｓ（登録商標）オペレーティングシステム（ｏｐｅｒａｔｉｎｇ  ｓｙｓｔｅｍ、ＯＳ）、（ｉｉ）Ａｐｐｌｅ  Ｉｎｃ．（Ｃｕｐｅｒｔｉｎｏ，Ｃａｌｉｆｏｒｎｉａ，Ｕｎｉｔｅｄ  Ｓｔａｔｅｓ  Ｏｆ  Ａｍｅｒｉｃａ）のＭａｃ（登録商標）ＯＳ  Ｘ、（ｉｉｉ）ＵＮＩＸ（登録商標）ＯＳ、及び（ｉｖ）Ｌｉｎｕｘ（登録商標）ＯＳ。更なる例示的なオペレーティングシステムとしては、以下のうちの１つを挙げることができる：（ｉ）Ａｐｐｌｅ  Ｉｎｃ．（Ｃｕｐｅｒｔｉｎｏ，Ｃａｌｉｆｏｒｎｉａ，Ｕｎｉｔｅｄ  Ｓｔａｔｅｓ  Ｏｆ  Ａｍｅｒｉｃａ）によるｉＯＳ（登録商標）オペレーティングシステム、（ｉｉ）Ｒｅｓｅａｒｃｈ  Ｉｎ  Ｍｏｔｉｏｎ（ＲＩＭ）（Ｗａｔｅｒｌｏｏ，Ｏｎｔａｒｉｏ，Ｃａｎａｄａ）によるＢｌａｃｋｂｅｒｒｙ（登録商標）オペレーティングシステム、（ｉｉｉ）ＬＧ  Ｅｌｅｃｔｒｏｎｉｃｓ（Ｓｅｏｕｌ，Ｓｏｕｔｈ  Ｋｏｒｅａ）によるＷｅｂＯＳオペレーティングシステム、（ｉｖ）Ｇｏｏｇｌｅ（Ｍｏｕｎｔａｉｎ  Ｖｉｅｗ，Ｃａｌｉｆｏｒｎｉａ，Ｕｎｉｔｅｄ  Ｓｔａｔｅｓ  ｏｆ  Ａｍｅｒｉｃａ）によって開発されたＡｎｄｒｏｉｄ（商標）オペレーティングシステム、（ｖ）Ｍｉｃｒｏｓｏｆｔ  Ｃｏｒｐ．（Ｒｅｄｍｏｎｄ，Ｗａｓｈｉｎｇｔｏｎ，Ｕｎｉｔｅｄ  Ｓｔａｔｅｓ  ｏｆ  Ａｍｅｒｉｃａ）によるＷｉｎｄｏｗｓ  Ｍｏｂｉｌｅ（��標）オペレーティングシステム、又は（ｖｉ）Ａｃｃｅｎｔｕｒｅ  ＰＬＣ（Ｄｕｂｌｉｎ，Ｉｒｅｌａｎｄ）によるＳｙｍｂｉａｎ（商標）オペレーティングシステム。
【００２０】
[0029]本明細書で使用するとき、「プロセッサ」及び／又は「処理モジュール」は、マイクロプロセッサ、マイクロコントローラ、コントローラ、複合命令セット演算（ｃｏｍｐｌｅｘ  ｉｎｓｔｒｕｃｔｉｏｎ  ｓｅｔ  ｃｏｍｐｕｔｉｎｇ、ＣＩＳＣ）マイクロプロセッサ、縮小命令セット演算（ｒｅｄｕｃｅｄ  ｉｎｓｔｒｕｃｔｉｏｎ  ｓｅｔ  ｃｏｍｐｕｔｉｎｇ、ＲＩＳＣ）マイクロプロセッサ、超長命令語（ｖｅｒｙ  ｌｏｎｇ  ｉｎｓｔｒｕｃｔｉｏｎ  ｗｏｒｄ、ＶＬＩＷ）マイクロプロセッサ、グラフィックプロセッサ、デジタル信号プロセッサ、又は所望の機能を実行することができる任意の他のタイプのプロセッサ若しくは処理回路などであるがこれらに限定されない、任意のタイプの計算回路を意味する。いくつかの実施例では、本明細書に開示される様々な実施形態の１つ以上の処理モジュールは、ＣＰＵ２１０を備えることができる。
【００２１】
[0030]図２の描写された実施形態では、ディスクコントローラ２０４、グラフィックアダプタ２２４、ビデオコントローラ２０２、キーボードアダプタ２２６、マウスアダプタ２０６、ネットワークアダプタ２２０、及び他のＩ／Ｏデバイス２２２などの様々なＩ／Ｏデバイスは、システムバス２１４に結合することができる。キーボードアダプタ２２６及びマウスアダプタ２０６は、コンピュータシステム１００（図１）のキーボード１０４（図１〜図２）及びマウス１１０（図１〜図２）にそれぞれ結合されている。グラフィックアダプタ２２４及びビデオコントローラ２０２は、図２で別個のユニットとして示されるが、他の実施形態では、ビデオコントローラ２０２は、グラフィックアダプタ２２４に、又はその逆に、統合することができる。ビデオコントローラ２０２は、コンピュータシステム１００（図１）のスクリーン１０８（図１）上に画像を表示する、モニタ１０６（図１〜図２）に好適である。ディスクコントローラ２０４は、ハードドライブ１１４（図１〜図２）、ＵＳＢポート１１２（図１〜図２）、及びＣＤ−ＲＯＭドライブ１１６（図１〜図２）を制御することができる。他の実施形態では、これらのデバイスのそれぞれを別々に制御するために、別個のユニットを使用することができる。
【００２２】
[0031]ネットワークアダプタ２２０は、有線通信（例えば、有線ネットワークアダプタ）及び／又は無線通信（例えば、無線ネットワークアダプタ）によって、コンピュータシステム１００（図１）をコンピュータネットワークに接続するのに好適であってもよい。いくつかの実施形態では、ネットワークアダプタ２２０は、コンピュータシステム１００（図１）内の拡張ポート（図示せず）にプラグ接続又は結合することができる。他の実施形態では、ネットワークアダプタ２２０は、コンピュータシステム１００（図１）内に構築することができる。例えば、ネットワークアダプタ２２０は、マザーボードチップセット（図示せず）に統合されること、又はコンピュータシステム１００（図１）のＰＣＩ（ｐｅｒｉｐｈｅｒａｌ  ｃｏｍｐｏｎｅｎｔ  ｉｎｔｅｒｃｏｎｎｅｃｔｏｒ、周辺構成要素インターコネクタ）若しくはＰＣＩ  ｅｘｐｒｅｓｓバス、若しくはＵＳＢポート１１２（図１）を介して接続された１つ以上の専用通信チップ（図示せず）により実装されることによって、コンピュータシステム１００（図１）内に構築することができる。
【００２３】
[0032]ここで図１に戻って、コンピュータシステム１００の他の多くの構成要素は、図示されていないが、そのような構成要素及びそれらの相互接続は、当業者に周知である。したがって、コンピュータシステム１００及びシャーシ１０２内部の回路基板の構成並びに配置に関する更なる詳細は、本明細書で説明しない。
【００２４】
[0033]一方、コンピュータシステム１００が稼働しているとき、本明細書に開示される様々な実施形態のメモリ記憶モジュール（単数又は複数）のうちの１つ以上に記憶されたプログラム命令（例えば、コンピュータ命令）は、ＣＰＵ２１０（図２）によって実行することができる。これらのデバイス上に記憶されたプログラム命令の少なくとも一部分は、本明細書に記載される技術及び方法の少なくとも一部を実行するのに好適であってもよい。
【００２５】
[0034]更に、コンピュータシステム１００は、図１でデスクトップコンピュータとして示されているが、コンピュータシステム１００に関して説明したものと同様の機能的要素を依然として有しながら、コンピュータシステム１００が異なるフォームファクタをとることができる実施例が存在し得る。いくつかの実施形態では、コンピュータシステム１００は、単一のコンピュータ、単一のサーバ、又はコンピュータ若しくはサーバのクラスタ若しくは集積、又はコンピュータ若しくはサーバのクラウドを備えることができる。典型的には、コンピュータシステム１００に対する需要が単一のサーバ又はコンピュータの妥当な能力を上回る場合、サーバのクラスタ又は集積を使用することができる。特定の実施形態では、コンピュータシステム１００は、ラップトップコンピュータなどのポータブルコンピュータを備えてもよい。特定の他の実施形態では、コンピュータシステム１００は、スマートフォンなどのモバイル電子デバイスを備えてもよい。特定の追加の実施形態では、コンピュータシステム１００は、埋め込みシステムを備えることができる。
【００２６】
[0035]ここで図面を先に飛んで、図３は、一実施形態に係るシステム３００の代表的なブロック図を示す。システム３００は単なる例示であり、システムの実施形態は、本明細書に提示される実施形態に限定されない。システム３００は、本明細書に具体的に図示又は記載されていない異なる多くの実施形態又は実施例で使用することができる。いくつかの実施形態では、システム３００の特定の要素又はモジュールは、様々な方法及び／又はこれらの方法の動作を実行することができる。これらの又は他の実施形態では、方法及び／又は方法の動作は、システム３００の他の好適な要素又はモジュールによって実行することができる。
【００２７】
[0036]したがって、一般に、システム３００は、本明細書に記載されるように、ハードウェア及び／又はソフトウェアで実装することができる。いくつかの実施形態では、ハードウェア及び／若しくはソフトウェアの一部又は全ては、従来のものであってもよいが、これら又は他の実施形態では、ハードウェア及び／若しくはソフトウェアの一部又は全ては、本明細書に記載されるシステム３００の機能の一部又は全てを実装するために、カスタマイズ（例えば、最適化）することができる。
【００２８】
[0037]多数の実施形態では、システム３００は、心拍検出システム３２０及びディスプレイシステム３６０を備えることができる。いくつかの実施形態では、心拍検出システム３２０及びディスプレイシステム３６０は、それぞれ、上述のように、コンピュータシステム１００（図１）であってもよく、それぞれ、単一のコンピュータ、単一のサーバ、又はコンピュータ若しくはサーバのクラスタ若しくは集積であってもよい。多くの実施形態では、心拍検出システム３２０は、デバイス８００（図８）を備えることができる。
【００２９】
[0038]多くの実施形態では、心拍検出システム３２０及び／又はディスプレイシステム３６０は、それぞれ、１つ以上の入力デバイス（例えば、１つ以上のキーボード、１つ以上のキーパッド、コンピュータマウス（単数又は複数）などの１つ以上のポインティングデバイス、１つ以上のタッチスクリーンディスプレイ、マイクロホンなど）を備えることができ、かつ／又は、それぞれ、１つ以上の表示デバイス（例えば、１つ以上のモニタ、１つ以上のタッチスクリーンディスプレイ、プロジェクタなど）を備えることができる。これらの又は他の実施形態では、入力デバイス（単数又は複数）のうちの１つ以上は、キーボード１０４（図１）及び／又はマウス１１０（図１）と同様又は同一であってもよい。更に、表示デバイス（単数又は複数）のうちの１つ以上は、モニタ１０６（図１）及び／又はスクリーン１０８（図１）と同様又は同一であってもよい。入力デバイス（単数又は複数）及び表示デバイス（単数又は複数）は、有線方式及び／又は無線方式で、心拍検出システム３２０及び／若しくはディスプレイシステム３６０の処理モジュール（単数又は複数）並びに／又はメモリ記憶モジュール（単数又は複数）に結合することができ、結合は、直接的及び／又は間接的、並びに局所的及び／又は遠隔的であってもよい。間接的な方法の一例として（遠隔的な方法でもあってもよく、又はなくてもよい）、キーボードビデオマウス（ｋｅｙｂｏａｒｄ−ｖｉｄｅｏ−ｍｏｕｓｅ、ＫＶＭ）スイッチを使用して、入力デバイス（単数又は複数）及び表示デバイス（単数又は複数）を処理モジュール（単数又は複数）及び／又はメモリ記憶モジュール（単数又は複数）に結合することができる。いくつかの実施形態では、ＫＶＭスイッチはまた、心拍検出システム３２０及び／又はディスプレイシステム３６０の一部であってもよい。同様に、処理モジュール（単数又は複数）及びメモリ記憶モジュール（単数又は複数）は、互いに対してローカル及び／又はリモートであってもよい。
【００３０】
[0039]多くの実施形態では、心拍検出システム３２０及び／又はディスプレイシステム３６０は、１つ以上のユーザコンピュータ（図示せず）と通信するように構成することができる。いくつかの実施形態では、心拍検出システム及び／又はディスプレイシステム３６０は、ネットワーク３３０を介して１つ以上の顧客コンピュータと通信又はインターフェース（例えば、相互作用）することができる。いくつかの実施形態では、ネットワーク３３０は、インターネット、又は公衆に開かれていないイントラネットであってもよい。したがって、多くの実施形態では、心拍検出システム３２０及び／又はディスプレイシステム３６０（及び／又はそのようなシステムによって使用されるソフトウェア）は、システム３００のオペレータ及び／又は管理者によって操作されるシステム３００のバックエンドを指すことができ、ユーザコンピュータ（及び／又はそのようなシステムによって使用されるソフトウェア）は、１人以上のユーザ３５０それぞれによって使用されるシステム３００のフロントエンドを指すことができる。これらの又は他の実施形態では、システム３００のオペレータ及び／又は管理者は、システム３００の入力デバイス（単数又は複数）及び／又は表示デバイス（単数又は複数）を使用して、システム３００、システム３００の処理モジュール（単数又は複数）及び／又はシステム３００のメモリ記憶モジュール（単数又は複数）を管理することができる。
【００３１】
[0040]一方、多くの実施形態では、心拍検出システム３２０及び／又はディスプレイシステム３６０はまた、１つ以上のデータベースと通信するように構成することができる。１つ以上のデータベースは、１つ以上のメモリ記憶モジュール（例えば、非一時的メモリ記憶モジュール（単数又は複数））上に記憶することができ、これらは、コンピュータシステム１００（図１）に関して上述した１つ以上のメモリ記憶モジュール（単数又は複数）（例えば、非一時的メモリ記憶モジュール（単数又は複数））と同様又は同一であってもよい。また、いくつかの実施形態では、１つ以上のデータベースの任意の特定のデータベースに関して、特定のデータベースのサイズ並びに／又はメモリ記憶モジュール（単数又は複数）及び／若しくは非一時的メモリ記憶モジュール（単数又は複数）の記憶容量に応じて、その特定のデータベースは、１つ以上のデータベースを記憶するメモリ記憶モジュール（単数又は複数）及び／若しくは非一時的メモリ記憶モジュール（単数又は複数）の単一のメモリ記憶モジュール上に記憶されてもよく、又はその特定のデータベースのコンテンツは、１つ以上のデータベースを記憶するメモリ記憶モジュール（単数又は複数）及び／若しくは非一時的メモリ記憶モジュール（単数又は複数）の複数のモジュールに散在することができる。
【００３２】
[0041]１つ以上のデータベースは、それぞれ、データの構造化された（例えば、インデックス付けされた）集積を含むことができ、データベース（単数又は複数）を定義、作成、クエリ、整理、更新、及び管理するように構成された任意の好適なデータベース管理システムによって管理することができる。例示的なデータベース管理システムとしては、ＭｙＳＱＬ（Ｓｔｒｕｃｔｕｒｅｄ  Ｑｕｅｒｙ  Ｌａｎｇｕａｇｅ、構造化照会言語）  Ｄａｔａｂａｓｅ、ＰｏｓｔｇｒｅＳＱＬ  Ｄａｔａｂａｓｅ、Ｍｉｃｒｏｓｏｆｔ  ＳＱＬ  Ｓｅｒｖｅｒ  Ｄａｔａｂａｓｅ、Ｏｒａｃｌｅ  Ｄａｔａｂａｓｅ、ＳＡＰ（Ｓｙｓｔｅｍｓ，Ａｐｐｌｉｃａｔｉｏｎｓ，＆Ｐｒｏｄｕｃｔｓ）  Ｄａｔａｂａｓｅ、及びＩＢＭ  ＤＢ２  Ｄａｔａｂａｓｅを挙げることができる。
【００３３】
[0042]一方、心拍検出システム３２０、ディスプレイシステム３６０、及び／又は１つ以上のデータベース間の通信は、有線及び／又は無線通信の任意の好適な方法を使用して実施することができる。したがって、システム３００は、有線及び／又は無線通信を実施するように構成された任意のソフトウェア及び／又はハードウェア構成要素を備えることができる。更に、有線及び／又は無線通信は、有線及び／若しくは無線通信ネットワークトポロジー（例えば、リング、ライン、ツリー、バス、メッシュ、スター、デイジーチェーン、ハイブリッドなど）、並びに／若しくはプロトコル（例えば、パーソナルエリアネットワーク（ｐｅｒｓｏｎａｌ  ａｒｅａ  ｎｅｔｗｏｒｋ、ＰＡＮ）プロトコル（単数又は複数）、ローカルエリアネットワーク（ｌｏｃａｌ  ａｒｅａ  ｎｅｔｗｏｒｋ、ＬＡＮ）プロトコル（単数又は複数）、ワイドエリアネットワーク（ｗｉｄｅ  ａｒｅａ  ｎｅｔｗｏｒｋ、ＷＡＮ）プロトコル（単数又は複数）、セルラーネットワークプロトコル（単数又は複数）、電力線ネットワークプロトコル（単数又は複数）など）のうちの任意の１つ又は任意の組み合わせを使用して、実施することができる。例示的なＰＡＮプロトコル（単数又は複数）は、Ｂｌｕｅｔｏｏｔｈ、Ｚｉｇｂｅｅ、Ｗｉｒｅｌｅｓｓ  Ｕｎｉｖｅｒｓａｌ  Ｓｅｒｉａｌ  Ｂｕｓ（ＵＳＢ）、Ｚ−Ｗａｖｅなどを含むことができ、例示的なＬＡＮ及び／又はＷＡＮプロトコル（単数又は複数）は、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（ＩＥＥＥ）８０２．３（イーサネットとしても知られる）、ＩＥＥＥ８０２．１１（ＷｉＦｉとしても知られる）などを含むことができ、例示的な無線セルラーネットワークプロトコル（単数又は複数）は、移動通信用のグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、Ｅｖｏｌｕｔｉｏｎ−Ｄａｔａ  Ｏｐｔｉｍｉｚｅｄ（ＥＶ−ＤＯ）、ＧＳＭエボリューションの拡張データレート（Ｅｎｈａｎｃｅｄ  Ｄａｔａ  Ｒａｔｅｓ  ｆｏｒ  ＧＳＭ  Ｅｖｏｌｕｔｉｏｎ、ＥＤＧＥ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、デジタル拡張型コードレス通信（Ｄｉｇｉｔａｌ  Ｅｎｈａｎｃｅｄ  ｃｏｒｄｌｅｓｓ  Ｔｅｌｅｃｏｍｍｕｎｉｃａｔｉｏｎｓ、ＤＥＣＴ）、デジタルＡＭＰＳ（ＩＳ−１３６／時分割多元接続（Ｔｉｍｅ  Ｄｉｖｉｓｉｏｎ  Ｍｕｌｔｉｐｌｅ  Ａｃｃｅｓｓ、ＴＤＭＡ））、統合デジタル拡張ネットワーク（Ｉｎｔｅｇｒａｔｅｄ  Ｄｉｇｉｔａｌ  Ｅｎｈａｎｃｅｄ  Ｎｅｔｗｏｒｋ、ｉＤＥＮ）、進化型高速パケットアクセス（Ｅｖｏｌｖｅｄ  Ｈｉｇｈ−Ｓｐｅｅｄ  Ｐａｃｋｅｔ  ａｃｃｅｓｓ、ＨＳＰＡ＋）、ロングタームエボリューション（Ｌｏｎｇ−Ｔｅｒｍ  Ｅｖｏｌｕｔｉｏｎ、ＬＴＥ）、ＷｉＭＡＸなどを含むことがで���る。実装される特定の通信ソフトウェア及び／又はハードウェアは、実装されるネットワークトポロジー及び／又はプロトコルに依存し得、逆もまた同様である。多くの実施形態では、例示的な通信ハードウェアは、例えば、ユニバーサルシリアルバス（単数又は複数）などの１つ以上のデータバス、例えば、同軸ケーブル（単数又は複数）、光ファイバケーブル（単数又は複数）、及び／又はツイストペアケーブル（単数又は複数）などの１つ以上のネットワーキングケーブル、任意の他の好適なデータケーブルなどを例えば含む有線通信ハードウェアを備えることができる。更なる例示的な通信ハードウェアは、例えば、１つ以上の無線送受信機、１つ以上の赤外線送受信機などを含む無線通信ハードウェアを備えることができる。追加の例示的な通信ハードウェアは、１つ以上のネットワーキング構成要素（例えば、変調器復調器構成要素、ゲートウェイ構成要素など）を備えることができる。
【００３４】
[0043]図面を先に参照すると、図８は、心拍数を検出するためのデバイス８００を示す。多くの実施形態では、デバイス８００は、ストラップ８０９に結合された少なくとも１つの容量式変位センサ８０７を備えることができる。いくつかの実施形態では、ストラップ８０９は、ハーネス、ベルト、ベスト、カラー、及び衣類のうちの少なくとも１つを備えることができる。いくつかの実施形態では、ストラップ８０９は、動物の皮膚の上に着用されるように構成することができる（例えば、イヌによって着用されるベスト）。多くの実施形態では、少なくとも１つの容量式変位センサ８０７は、２つの電極を備えることができる。いくつかの実施形態では、少なくとも１つの容量式変位センサは、２つより多くの電極を備えることができる。多くの実施形態では、２つの電極は、外側送信電極８１１及び内側受信電極８１３であることができる。いくつかの実施形態では、２つの電極は、１つ以上の信号を送信するように構成された第１の電極と、１つ以上の信号を受信するように構成された第２の電極と、であることができる。いくつかの実施形態では、外側送信電極８１１及び内側受信電極８１３は、同心であってもよい。いくつかの実施形態では、外側送信電極８１１及び内側受信電極８１３は、同心円であってもよい。他の実施形態では、外側送信電極８１１及び内側受信電極８１３は、それらの幾何学的中心が一緒に整列された状態で線状であってもよい。様々な実施形態では、デバイス８００は、ストラップ８０９の全長にわたってほぼ等距離の間隔で配置することができる、１つより多くの容量式変位センサを備えることができる。いくつかの実施形態では、少なくとも１つの容量式変位センサ８０７は、接地電極を更に備えることができる。多数の実施形態では、少なくとも１つの容量式変位センサ８０７は、少なくとも１つの外側送信電極８１１及び１つより多くの内側受信電極８１３を備えることができる。
【００３５】
[0044]多くの実施形態では、少なくとも１つの容量式変位センサ８０７は、デバイスの着用者の皮膚と少なくとも１つの容量式変位センサとの間の距離変化に関連付けられた信号を生成することによって、パルスを検出することができる。いくつかの実施形態では、少なくとも１つの容量式変位センサ８０７は、デバイス８００の着用者（例えば、ユーザ３５０（図３）又はユーザ３５０（図３）のペット）の皮膚と少なくとも１つの容量式変位センサ８０７との間の距離変化に関連付けられた信号を生成することによって、心拍数、心拍間隔、呼吸速度、及び／又は呼吸間隔を検出することができる。いくつかの実施形態では、着用者は、イヌ若しくはネコ、又は他の同様のペット及び／若しくは動物であってもよい。いくつかの実施形態では、心拍変動は、デバイス８００の着用者の心拍間の時間を測定することによって判定することができる。以下で更に説明するように、多くの実施形態では、プロセッサ（例えば、プロセッサ５２６（図５）を使用して、着用者（例えば、ユーザ３５０（図３））の心拍数及び／又は呼吸に関連付けられた情報（例えば、心拍数、心拍間隔、呼吸速度、及び／又は呼吸間隔）を抽出するために、少なくとも１つの容量式変位センサ８０７によって生成された信号を処理することができる。
【００３６】
[0045]多くの実施形態では、少なくとも１つの容量式変位センサは、容量式近接感知によって、少なくとも１つの容量式変位センサと少なくとも１つの容量式変位センサの着用者の皮膚との間の距離の変化を測定することができる。図１０を参照して、デバイス１０００は、心拍検出デバイスとすることができる。いくつかの実施形態では、デバイス１０００は、デバイス８００（図８）と同様であってもよい。多くの実施形態では、デバイス１０００は、少なくとも１つの容量式変位センサ１００７を備えることができる。多くの実施形態では、少なくとも１つの容量式変位センサ１００７は、少なくとも１つの外側送信電極１０１１及び少なくとも１つの内側受信電極１０１３を備えることができる。多くの実施形態では、外側送信電極１０１１は、外側送信電極８１１（図８）と同様であってもよく、内側送信電極１０１３は、内側送信電極８１３（図８）と同様であってもよい。
【００３７】
[0046]いくつかの実施形態では、電源は、外側送信電極１０１１に印加されるＡＣ励起電圧１００３を供給することができる。いくつかの実施形態では、キャパシタンスデジタル変換器は、ＡＣ励起電圧１００３の電源及びアナログデジタル変換器１００９を備えることができる。多くの実施形態では、キャパシタンスデジタル変換器のキャパシタンス分解能は、約１６４フェムトファラッドであってもよい。様々な実施形態では、キャパシタンスデジタル変換器の電力消費は、３．３ボルトで約７００マイクロアンペアであってもよい。多くの実施形態では、内側受信電極１０１３は、外側送信電極１０１１と内側受信電極１０１３との間の容量結合により、外側送信電極１０１１からの信号を受信することができる。対象物１０１９（例えば、心拍又は脈拍の間に持ち上げられる着用者又はユーザの皮膚）がデバイスの外側送信電極１０１１及び内側受信電極１０１３に接近すると、容量結合は、内側受信電極１０１３から離れる方向に信号を分路することができる。多くの実施形態では、内側受信電極１０１３から離れる方向に信号を分路することにより、信号振幅を低減させることができる。多数の実施形態では、信号は、内側受信電極１０１３から離れる方向に信号を分路することに部分的に起因して、距離の変化に少なくとも部分的に基づいて、生成することができる。いくつかの実施形態では、距離の変化は、約０．０１センチメートル（ｃｍ）〜約３ｃｍであってもよい。いくつかの実施形態では、頚動脈の脈拍は、動脈の表面の膨張を引き起こすことがあり、これは、動物の皮膚上で約０．０１ｃｍの上昇をもたらすことができる。多くの実施形態では、距離の変化は、動物のサイズ、動物の品種、及び／又は動物の毛皮の種類に少なくとも部分的に依存し得る。多くの実施形態では、生成された信号は、デジタル出力信号１００５に変換することができる。
【００３８】
[0047]図８に戻って、多数の実施形態では、少なくとも１つの容量式変位センサ８０７は、着用者（例えば、ユーザ３５０（図３））の頸部にて、着用者（例えば、ユーザ３５０（図３））の頚動脈に近接して配置することができる。多くの実施形態では、少なくとも１つの容量式変位センサ８０７は、着用者の皮膚に触れない。多くの実施形態では、少なくとも１つの容量式変位センサ８０７は、非接触式変位センサである。いくつかの実施形態では、少なくとも１つの容量式変位センサ８０７は、着用者（例えば、ユーザ３５０（図３））の胸部に配置することができる。
【００３９】
[0048]様々な実施形態では、デバイス８００は、容量式センサのアレイを更に備えることができる。多くの実施形態では、容量式センサのアレイは、少なくとも１つの容量式変位センサ８０７を備えることができる。いくつかの実施形態では、容量式センサのアレイは、少なくとも２つの容量式変位センサを備えることができる。いくつかの実施形態では、容量式センサのアレイは、線状アレイを備えることができる。いくつかの実施形態では、容量式センサのアレイは、（例えば、ベストの内面上に）２次元アレイを備えることができる。
【００４０】
[0049]多くの実施形態では、デバイス８００は、１つ以上の１つ以上の慣性センサを更に備えることができる。いくつかの実施形態では、１つ以上の慣性センサは、デバイスの着用者（例えば、ユーザ３５０（図３））の移動によって引き起こされる動きを感知することができる。いくつかの実施形態では、着用者（例えば、ユーザ３５０（図３））の移動は、着用者の歩行、走ること、又は呼吸に関連しない任意の他の身体動作と関連付けることができる。いくつかの実施形態では、１つ以上の慣性センサの少なくとも一部分は、少なくとも１つの容量式変位センサ８０７と共位置にすることができる。一例として、いくつかの実施形態では、少なくとも１つの容量式変位センサ８０７及び１つ以上の慣性センサの少なくとも一部分は、着用者（例えば、ユーザ３５０（図３））の胸部の左側上に配置することができ、並びに／又は１つ以上の慣性センサの別の部分及び異なる容量式変位センサは、着用者（例えば、ユーザ３５０（図３））の胸部の右側上に配置することができ、着用者を横切るストラップの重量を均衡させることができる。
【００４１】
[0050]図５の心拍検出システム３２０に戻って、多くの実施形態では、少なくとも１つの容量式変位センサ８０７（図８）からの出力信号は、波形であってもよい。多くの実施形態では、波形は、着用者（例えば、ユーザ３５０（図３））の心拍数及び／又は呼吸に関連付けられた情報（例えば、心拍数、心拍間隔、呼吸速度、及び／又は呼吸間隔）を含むことができる。いくつかの実施形態では、心拍検出システム３２０は、１つ以上の電極５２２（例えば、外側送信電極８１１及び内側受信電極８１３（図８））と、変換器５２４と、プロセッサ５２６と、通信機５２８と、を備えることができる。
【００４２】
[0051]いくつかの実施形態では、心拍検出システム３２０（図５）は、方法６００（図６）に従って、少なくとも１つの容量式変位センサ８０７（図８）によって生成された信号を処理することができる。図６及び図９を一緒に説明すると、多くの実施形態では、方法６００は、少なくとも１つの容量式変位センサ８０７（図８）によって生成された信号を処理することができる。
【００４３】
[0052]図９は、少なくとも１つの容量式変位センサ８０７（図８）によって捕捉された約２０秒のデータを表す、７つのグラフを示す。多くの実施形態では、少なくとも１つの容量式変位センサ８０７（図８）からの出力信号は、動作６０５（図６）で送信されたときの電極（例えば、外側送信電極８１１及び内側受信電極８１３（図８）によって感知された容量値のデジタル（例えば、数値）表現を含む。この出力信号は、未加工のもの又は処理されていないものでもよく、イヌの呼吸及び心拍に関連する情報を含む。図９のグラフ１は、動作６０５の出力を示す。
【００４４】
[0053]図面に戻って、図６は、一実施形態に係る方法６００のフローチャートを示す。方法６００は、単なる例示であり、本明細書に提示される実施形態に限定されない。方法６００は、本明細書に具体的に図示若しくは記載されていない異なる多くの実施形態又は実施例で使用することができる。いくつかの実施形態では、心拍検出デバイス８００（図８）及び／又はデバイス１０００（図１０）は、方法６００と併せて使用することができる。いくつかの実施形態では、方法６００の動作は、提示される順序で実行することができる。他の実施形態では、方法６００の動作は、任意の好適な順序で実行することができる。更に他の実施形態では、方法６００の動作のうちの１つ以上は、組み合わせる、又はスキップすることができる。多くの実施形態では、システム３００（図３）は、方法６００及び／又は方法６００の動作のうちの１つ以上を実行するのに好適であってもよい。これらの又は他の実施形態では、方法６００の動作のうちの１つ以上は、１つ以上の処理モジュールで動作するように構成され、かつ１つ以上の非一時的メモリ記憶モジュール４１２、４２２、及び／又は４６２（図４）に記憶されるように構成された、１つ以上のコンピュータ命令として実施することができる。そのような非一時的メモリ記憶モジュールは、心拍デバイスシステム３２０（図３及び図４）及び／又はディスプレイシステム３６０（図３及び図４）などのコンピュータシステムの一部であってもよい。処理モジュール（単数又は複数）は、コンピュータシステム１００（図１）に関して上述した処理モジュール（単数又は複数）と同様又は同一であってもよい。
【００４５】
[0054]多くの実施形態では、方法６００は、動作６０５からの信号をハイパスフィルタでフィルタリングする動作６１０を含むことができる。いくつかの実施形態では、ハイパスフィルタは、約１ヘルツ（Ｈｚ）のカットオフ周波数を含むことができる。多くの実施形態では、動作６１０は、動作６０５によって生成されたデータからオフセットを除去するために、呼吸によって引き起こされる信号などの動きの遅い信号を除去することができる。グラフ２（図９）は、動作６１０の出力を示す。
【００４６】
[0055]様々な実施形態では、方法６００は、ローパスフィルタを介して信号をフィルタリングする動作６１５を更に含むことができる。多くの実施形態では、動作６１５は、ローパスフィルタを使用することによって高周波ノイズを除去することを含むことができる。いくつかの実施形態では、ローパスフィルタのカットオフ周波数は、約１０Ｈｚであってもよい。グラフ３（図９）は、動作６１５の出力を示す。いくつかの実施形態では、一連の動作６１０及び６１５は、反転される。
【００４７】
[0056]多数の実施形態では、方法６００は、信号を処理してベースラインを復元する動作６２０を更に含むことができる。いくつかの実施形態では、動作６２０は、信号を処理してゼロの数値ベースラインを設定することを含むことができる。様々な実施形態では、動作６２０は、ベースライン復元（例えば、ＤＣ復元）アルゴリズムを使用することができる。いくつかの実施形態では、以下のアルゴリズム（ＰＹＴＨＯＮコードでの）を使用することができ、式中、ｙ＿ｂｐは、入力信号であり、ｙ＿ｄｃｒは、出力信号である。
＃ｄｃ  ｒｅｓｔｏｒｅ
ｂａｓｅｌｉｎｅ＝ｎｐ．ｚｅｒｏｓ（ｌｅｎ（ｙ＿ｂｐ））
ｙ＿ｄｃｒ＝ｎｐ．ｚｅｒｏｓ（ｌｅｎ（ｙ＿ｂｐ））
ｄｃｒ＝ｎｐ．ｍｅａｎ（ｙ＿ｂｐ）
ｄｅｃａｙ＿ｒａｔｅ＝０．９６
ｆｏｒ  ｉ  ｉｎ  ｒａｎｇｅ（ｌｅｎ（ｙ＿ｂｐ））：
ｉｆ（ｙ＿ｂｐ［ｉ］＜ｄｃｒ）：
ｄｃｒ＝ｙ＿ｂｐ［ｉ］
ｂａｓｅｌｉｎｅ［ｉ］＝ｄｃｒ
ｙ＿ｄｃｒ［ｉ］＝ｙ＿ｂｐ［ｉ］−ｄｃｒ
ｄｃｒ＝ｄｃｒ＊ｄｅｃａｙ＿ｒａｔｅ
【００４８】
[0057]いくつかの実施形態では、この処理は、心拍に起因し得る信号中の１つ以上のピークを強調することができる。グラフ４（図９）は、動作６２０の出力を示す。
【００４９】
[0058]多数の実施形態では、方法６００は、「漏れピーク検出」アルゴリズムで信号を処理することによって、１つ以上の心拍を検出し、ノイズを除去する動作６２５を更に含むことができる。多くの実施形態では、以下のアルゴリズム（ＰＹＴＨＯＮコードでの）を使用することができ、式中、ｙ＿ｄｃｒは、入力であり、ｙ＿ｐｄｌは、出力である。
＃ｐｅａｋ  ｄｅｔｅｃｔｉｏｎ，ｌｅａｋｙ
ｐｄ＿ｄｅｃａｙ＝０．９６
ｐｄｌ＝ｍｉｎ（ｙ＿ｄｃｒ）
ｙ＿ｐｄｌ＝ｎｐ．ｚｅｒｏｓ（ｌｅｎ（ｙ＿ｄｃｒ））
ｆｏｒ  ｉ  ｉｎ  ｒａｎｇｅ（ｌｅｎ（ｙ＿ｐｄｌ））：
ｉｆ（ｙ＿ｄｃｒ［ｉ］＞ｐｄｌ）：
ｐｄｌ＝ｙ＿ｄｃｒ［ｉ］
ｙ＿ｐｄｌ［ｉ］＝ｐｄｌ
ｐｄｌ＝ｐｄｌ＊ｐｄ＿ｄｅｃａｙ
【００５０】
[0059]グラフ５（図９）は、動作６２５の出力を示す。
【００５１】
[0060]いくつかの実施形態では、方法６００はまた、閾値を判定し、心拍を検出する動作６３０を含むことができる。多くの実施形態では、グラフ５（図９）の信号から心拍を検出するために、動作６３０は、信号の平均として閾値を判定することを含むことができる。閾値は、グラフ５（図９）の破線として示すことができる。多くの実施形態では、信号が閾値（例えば、破線）を横切る立ち上がりエッジを有するときに、心拍を検出することができる。グラフ６（図９）は、動作６３０の出力を示す。グラフ６（図９）に示すように、各垂直スパイクは、検出された心拍を示す。グラフ６（図９）の信号を使用して、心拍変動を測定することができる。いくつかの実施形態では、動作６００はまた、心拍を表示する動作６３５を含むことができる。
【００５２】
[0061]多くの実施形態では、心拍検出デバイス（例えば、デバイス８００（図８）がユーザ（例えば、ユーザ３５０（図３）からの心拍を正確に検出していることを検証するために、心電図ベース（ＥＫＧベース）の心拍モニタからの１つ以上の心拍を、容量式信号と同時に収集することができる。ＥＫＧベースのモニタから記録された１つ以上の心拍をグラフ７（図９）に示す。この約２０秒のデータセットの場合、グラフ６の心拍検出デバイス（例えば、デバイス８００（図８）によって検出された心拍タイミングは、グラフ７（図９）のＥＫＧベースのモニタからの心拍タイミングに対応する。
【００５３】
[0062]図面を先に参照して、図７は、一実施形態に係る方法７００のフローチャートを示す。方法７００は、単なる例示であり、本明細書に提示される実施形態に限定されない。方法７００は、本明細書に具体的に図示若しくは記載されていない異なる多くの実施形態又は実施例で使用することができる。いくつかの実施形態では、心拍検出デバイス８００（図８）は、方法７００と併せて使用することができる。いくつかの実施形態では、方法７００の動作は、提示される順序で実行することができる。他の実施形態では、方法７００の動作は、任意の好適な順序で実行することができる。更に他の実施形態では、方法７００の動作のうちの１つ以上は、組み合わせる、又はスキップすることができる。多くの実施形態では、システム３００（図３）は、方法７００及び／又は方法７００の動作のうちの１つ以上を実行するのに好適であってもよい。これらの又は他の実施形態では、方法７００の動作のうちの１つ以上は、１つ以上の処理モジュールで動作するように構成され、かつ１つ以上の非一時的メモリ記憶モジュール４１２、４２２、及び／又は４６２（図４）に記憶されるように構成された、１つ以上のコンピュータ命令として実施することができる。そのような非一時的メモリ記憶モジュールは、心拍デバイスシステム３２０（図３及び図４）及び／又はディスプレイシステム３６０（図３及び図４）などのコンピュータシステムの一部であってもよい。処理モジュール（単数又は複数）は、コンピュータシステム１００（図１）に関して上述した処理モジュール（単数又は複数）と同様又は同一であってもよい。
【００５４】
[0063]多くの実施形態では、方法７００は、少なくとも１つの容量式変位センサを使用して、少なくとも１つの容量式変位センサと少なくとも１つの容量式変位センサの着用者の皮膚との間の距離の変化に関連する信号を生成することによって、１つ以上のパルスを検出する動作７０５を含むことができる。多くの実施形態では、少なくとも１つの容量式変位センサは、外側送信電極（例えば、外側送信電極８１１（図８））と内側受信電極（例えば、内側受信電極８１３（図８））とである２つの電極を備えることができる。いくつかの実施形態では、少なくとも１つの容量式変位センサは、少なくとも１つの容量式変位センサ８０７（図８）と同様であってもよい。様々な実施形態では、少なくとも１つの容量式変位センサは、ストラップ（例えば、ストラップ８０９（図８））に取り付けることができる。いくつかの実施形態では、２つの電極は、１つ以上の信号を送信するように構成された第１の電極と、１つ以上の信号を受信するように構成された第２の電極と、であることができる。いくつかの実施形態では、外側送信電極及び内側受信電極は、同心であってもよい。いくつかの実施形態では、外側送信電極及び内側受信電極は、同心円であってもよい。いくつかの実施形態では、外側送信電極及び内側受信電極は、線状であってもよい。様々な実施形態では、心拍検出デバイス（例えば、デバイス８００（図８））は、ストラップの全長にわたってほぼ等距離の間隔で配置することができる、１つより多くの容量式変位センサを備えることができる。いくつかの実施形態では、少なくとも１つの容量式変位センサは、接地電極を更に備えることができる。多数の実施形態では、少なくとも１つの容量式変位センサは、少なくとも１つの外側送信電極及び１つより多くの内側受信電極を備えることができる。
【００５５】
[0064]一実施形態では、１つの電極は、カラーが導電性材料又は内部に導電性繊維を有する布地で作製された場合には、カラーの周囲又はカラー自体に全て至る金属ワイヤなどの接地電極であってもよい。この実施形態では、活性電極は、カラーの内側に配置された金属パッチであり、絶縁体が主カラーストラップ接地電極からそれを分離している。
【００５６】
[0065]別の実施形態では、電極間のキャパシタンスは、１つの電極に送信させ他方に受信させることによって感知されない。これを行うための１つの一般的な方法は、発振器の共振回路の接地（又はストラップ）部分に対して１つの電極のキャパシタンスを作り出すことである。これが行われると、振動の周波数は、電極と接地との間のキャパシタンスが変化するにつれて変化する。発振器の出力は、次いで、周波数電圧変換器に進み、ＡＤ７７４６ベースのセンサからの信号と基本的に同じに見える信号を得る。この単一電極容量感知技術は、周知の「Ｔｈｅｒｅｍｉｎ」楽器の原理であり、「アンテナ」（単一電極）と接地との間のキャパシタンスの非常に小さい変化が、オーディオ発振器のピッチに影響を及ぼす。
【００５７】
[0066]多くの実施形態では、動作７０５は、図１０に示し、かつ上述したように、交流（ＡＣ）励起電圧を外側送信電極に印加することを含むことができる。いくつかの実施形態では、１つ以上のパルスを検出することは、容量式変位センサのアレイを使用することを更に含むことができ、容量式変位センサのアレイは、少なくとも１つの容量式変位センサを備える。多くの実施形態では、容量式センサのアレイは、少なくとも１つの容量式変位センサを備えることができる。いくつかの実施形態では、容量式センサのアレイは、少なくとも２つの容量式変位センサを備えることができる。いくつかの実施形態では、容量式センサのアレイは、線状アレイを備えることができる。いくつかの実施形態では、容量式センサのアレイは、（例えば、ベストの内面上に）２次元アレイを備えることができる。
【００５８】
[0067]多数の実施形態では、方法７００はまた、少なくとも１つの容量式変位センサからの１つ以上の信号を心拍波形に変換する動作７１０を含むことができ、１つ以上の信号は、１つ以上のパルスに関する情報を含む。多くの実施形態では、動作７１０は、方法６００（図６）と同様であってもよい。いくつかの実施形態では、方法７００は、１つ以上の慣性センサを使用することによって、少なくとも１つの容量式変位センサの着用者の移動によって引き起こされる動きを検出する動作を更に含むことができる。いくつかの実施形態では、方法７００は、少なくとも１つの容量式変位センサの着用者の移動によって引き起こされる動きに関連するデータを除去することによって、心拍波形をフィルタリングする動作を更に含むことができる。いくつかの実施形態では、方法７００はまた、心拍波形に少なくとも部分的に基づいて心拍数を表示する動作７１５を含むことができる。
【００５９】
[0068]図４に戻って、図４は、図３に示す実施形態に係る心拍検出システム３２０及び／又はディスプレイシステム３６０を備えるシステム３００の一部分のブロック図を示す。心拍検出システム３２０及び／又はディスプレイシステム３６０のそれぞれは、単なる例示に過ぎず、本明細書に提示される実施形態に限定されない。心拍検出システム３２０及び／又はディスプレイシステム３６０のそれぞれは、本明細書に具体的に図示若しくは記載されていない異なる多くの実施形態又は実施例で使用することができる。いくつかの実施形態では、心拍検出システム３２０及び／若しくはディスプレイシステム３６０の特定の要素又はモジュールは、様々な手順、プロセス、及び／又は動作を実行することができる。他の実施形態では、手順、プロセス、及び／又は動作は、他の好適な要素又はモジュールによって実行することができる。
【００６０】
[0069]多くの実施形態では、心拍検出システム３２０は、非一時的メモリ記憶モジュール４１２及び４２２を備えることができ、ディスプレイモジュールは、非一時的メモリ記憶モジュール４６２を備えることができる。メモリ記憶モジュール４１２は、センサモジュール４１２と呼ばれることがあり、メモリ記憶モジュール４２２は、信号処理モジュール４２２と呼ばれることがある。メモリ記憶モジュール４６２は、ディスプレイモジュール４６２と呼ばれることがある。
【００６１】
[0070]多くの実施形態では、センサモジュール４１２は、１つ以上の処理モジュール上で動作して、感知に関連する１つ以上の動作を実行するように構成された、演算命令を記憶することができる。様々な実施形態では、センサモジュール４１２は、１つ以上の処理モジュール上で動作して、方法７００（図７）の１つ以上の動作（例えば、動作７０５（図７））又は方法６００（図６）の１つ以上の動作（例えば、動作６０５（図６））を実行するように構成された、演算命令を記憶することができる。いくつかの実施形態では、信号処理モジュール４２２は、１つ以上の処理モジュール上で動作して、方法７００（図７）の１つ以上の動作（例えば、動作７１０（図７）並びに／又は動作６１０、６１５、６２０、及び／若しくは６２５（図６））を実行するように構成された、演算命令を記憶することができる。
【００６２】
[0071]いくつかの実施形態では、ディスプレイモジュール４６２は、１つ以上の処理モジュール上で動作して、方法７００（図７）の１つ以上の動作（例えば、動作７１５（図７））又は方法６００（図６）の１つ以上の動作（例えば、動作６３５（図６））を実行するように構成された、演算命令を記憶することができる。
【００６３】
[0072]心拍検出デバイス並びに関連するシステム及び方法について上述したが、当業者であれば、本開示の趣旨又は範囲から逸脱することなく、様々な変更を行うことができることが理解されるであろう。したがって、実施形態の開示は、本開示の範囲を例示することを意図するものであり、限定することを意図するものではない。本開示の範囲は、添付の特許請求の範囲によって必要とされる範囲のみに限定されるべきであることが意図されている。例えば、当業者には、図１〜図９の任意の要素は、修正されてもよく、これらの実施形態の特定のものの前述の議論は、必ずしも全ての可能な実施形態の完全な説明を表すものではないことは容易に明らかとなるであろう。例えば、図６〜図７の動作のうちの１つ以上は、異なる動作を含んでもよく、かつ／又は異なる多くのモジュールによって、異なる多くの順序で実行されてもよい。
【００６４】
[0073]別の実施形態では、本発明は、容量式センサとともに搭載される、ＳＴ  ｍｉｃｒｏ  ＬＳＭ３０３  ３軸コンパス集積回路などの磁場センサを提供する。３軸コンパス信号はまた、イヌの動きを検出するために使用することができる。イヌの動きに関する情報を使用して、容量式センサ信号における動きアーチファクトを特定して除去することができる。
【００６５】
[0074]１つ以上の特許請求される要素の置き換えは、再構築を構成し、修復ではない。加えて、利益、他の利点、及び問題に対する解決策は、特定の実施形態に関して説明されている。発生する若しくはより顕著になる何らかの利益、利点、又は解決策を生じ得る、利益、利点、問題に対する解決策、及びいずれかの要素（単数又は複数）は、しかし、そのような利益、利点、解決策、又は要素がそのような請求項で記載されない限り、いずれか若しくは全ての請求項の不可欠、必要、若しくは必須な特徴又は要素として解釈されない。
【００６６】
[0075]更に、本明細書で開示する実施形態及び限定は、その実施形態及び／又は限定が、（１）特許請求の範囲で明確に主張されない、及び（２）均等論の下で特許請求の範囲に明示された要素及び／又は限定と同等又は潜在的に同等である場合、献呈の原則の下で公共に供するものではない。
【図１】
2020531177.tif 000003
【図２】
2020531177.tif 000004
【図３】
2020531177.tif 000005
【図４】
2020531177.tif 000006
【図５】
2020531177.tif 000007
【図６】
2020531177.tif 000008
【図７】
2020531177.tif 000009
【図８】
2020531177.tif 000010
【図９】
2020531177.tif 000011
【図１０】
2020531177.tif 000012
【国際調査報告】
2020531177.tif 000013
2020531177.tif 000014